(57)【要約】【課題】  確実に受信可能な周波数を短時間で探し出すことが可能な「受信機および受信周波数検出方法」を提供する。【解決手段】  チューナ部２で受信された放送情報をデコードしてスケジュール情報を検出するＤＲＭデコーダ３と、検出されたスケジュール情報に基づいて放送スケジュールリストを作成してメモリ６に格納する放送スケジュール作成部５とを設け、シーク動作時にはこの放送スケジュールリストを対象として受信周波数の探索を行うようにすることにより、シーク処理の際に膨大な受信周波数候補を１つ１つ順に調べていく必要をなくすとともに、過去に実績として収集したスケジュール情報に従って受信周波数の探索を行うことで、確実に受信可能な周波数を探し出すことができるようにする。【選択図】        図１
2007088923.tif 000002
【特許請求の範囲】
【請求項１】
少なくとも放送局の周波数および放送時間帯を含むスケジュール情報が付随情報として多重化された放送情報を受信するチューナ部と、
上記チューナ部により受信された放送情報をデコードして、上記付随情報を検出する付随情報検出部と、
上記付随情報検出部により検出された上記付随情報に上記スケジュール情報として含まれている放送局の周波数と放送時間帯とを放送スケジュールリストとして記録媒体に格納する放送スケジュール作成部とを備えたことを特徴とする受信機。
【請求項２】
上記チューナ部で実際に受信した周波数およびその受信時間帯を検出する受信検出部を更に備え、
上記放送スケジュール作成部は、上記受信検出部により検出された受信周波数と受信時間帯とを上記放送スケジュールリストとして上記記録媒体に格納することを特徴とする請求項１に記載の受信機。
【請求項３】
現在の曜日および時刻を検出する現在曜日・時刻検出部と、
上記現在曜日・時刻検出部により検出された上記現在の曜日および時刻に基づいて、上記記録媒体に格納されている上記放送スケジュールリストを参照し、上記現在の曜日および時刻が上記記録媒体に格納されている放送時間帯に含まれる周波数を検出する周波数検出部とを備えたことを特徴とする請求項１に記載の受信機。
【請求項４】
現在の曜日および時刻を検出する現在曜日・時刻検出部と、
上記現在曜日・時刻検出部により検出された上記現在の曜日および時刻に基づいて、上記記録媒体に格納されている上記放送スケジュールリストを参照し、上記現在の曜日および時刻が上記記録媒体に格納されている放送時間帯または受信時間帯に含まれる周波数を検出する周波数検出部とを備えたことを特徴とする請求項２に記載の受信機。
【請求項５】
チューナ部により放送情報を受信したときに、受信された放送情報に含まれている付随情報の中から、放送局の周波数および放送時間帯の情報を抽出し、抽出した周波数と放送時間帯とを放送スケジュールリストとして記録媒体に格納していき、
シーク動作の実行が指示されたときの現在の曜日および時刻に基づいて、上記記録媒体に格納されている上記放送スケジュールリストを参照し、上記現在の曜日および時刻が上記記録媒体に格納されている放送時間帯に含まれる周波数を検出するようにしたことを特徴とする受信周波数検出方法。
【請求項６】
上記チューナ部により放送情報を実際に受信したときに、そのときの受信周波数と受信時間帯とを上記放送スケジュールリストとして上記記録媒体に格納していき、
上記シーク動作の実行が指示されたときの現在の曜日および時刻に基づいて、上記記録媒体に格納されている上記放送スケジュールリストを参照し、上記現在の曜日および時刻が上記記録媒体に格納されている放送時間帯または受信時間帯に含まれる周波数を検出するようにしたことを特徴とする請求項５に記載の受信周波数検出方法。
【発明の詳細な説明】
【技術分野】
【０００１】
本発明は受信機および受信周波数検出方法に関し、特に、種々の放送局の周波数帯域を自動的に探す機能を備えた受信機に用いて好適なものである。
【背景技術】
【０００２】
ヨーロッパや北米（東海岸北部）などの地域において、ＤＲＭ（Digital Radio Mondiale）と呼ばれるラジオ放送が行われている。ＤＲＭ放送は、短波、ＡＭ／中波、長波を使用したデジタル放送システムである。ＤＲＭ放送では主に短波が使用され、曜日や時刻によって異なる番組が放送されている。ある放送局によっては、番組が何も放送されていない時間帯も存在する。また、短波放送はその電波の性質から遠隔地まで届くが、時刻によって伝播状態が変化するため、放送されていてもそれを受信できないこともある。よって、ＤＲＭ放送を視聴するときは、その時刻において受信可能な周波数を探して聞く必要がある。
【０００３】
受信可能な周波数を探すには、いわゆるシーク機能を利用するのが大変便利である。シーク機能とは、種々の放送局の周波数帯域を自動的に探す機能であり、受信感度（電界強度）が所定レベル以上となる受信周波数帯域を放送局の周波数帯域とみなしてこれを自動的に検出する。
【０００４】
しかしながら、ＤＲＭはデジタル放送なので、１つの周波数に同期させてから受信感度を検出し、それが所定レベル以上か否かを判定するのに比較的多くの時間を要する。具体的には、１つの周波数当たり４００[ｍｓｅｃ]ほどの時間がかかってしまう。また、ＤＲＭの放送波帯域は短波、中波、長波にまたがっており、受信周波数の候補が膨大である。シーク動作ではこれらの受信周波数候補を１つ１つ順に調べていく必要があるため、非常に多くの時間がかかってしまう。
【０００５】
なお、短波放送が時差のある遠隔地にわたって広範囲に放送されることに鑑みて、時差テーブルを使って遠隔地の現地時刻を求め、この現地時刻に基づいてエリア別受信可能周波数テーブルを参照することにより、短波放送のサービスエリアを複数のゾーンに分割したときの各ゾーンのうち、現地時刻の地域が含まれるゾーンにおける受信周波数をメモリにプリセットする技術が提案されている（例えば、特許文献１参照）。
【特許文献１】特開平７−３１２５３６号公報
【０００６】
この特許文献１に記載の技術は、各ゾーンで受信することのできる受信周波数のデータをあらかじめテーブル情報として保持しておき、時差を考慮して選択した何れかのゾーンのテーブル情報から受信周波数のデータを単に読み出してメモリにプリセットするに過ぎないものである。上述したように、ＤＲＭ放送では、曜日や時刻によって放送内容が異なり、ある曜日の特定の時間帯には放送がされていないこともある。時刻によって伝播の受信状態が変わることもある。したがって、テーブル情報から読み出した受信周波数を単にプリセットするだけでは、そのプリセット周波数に合わせたとしても、あるタイミングではＤＲＭ放送を視聴することができないことがあるという問題が生じる。
【発明の開示】
【発明が解決しようとする課題】
【０００７】
本発明は、このような問題を解決するために成されたものであり、例えばＤＲＭ放送のようなデジタル放送に関して、確実に受信可能な周波数を短時間で探し出すことができるようにすることを目的とする。
【課題を解決するための手段】
【０００８】
上記した課題を解決するために、本発明では、実際に放送情報を受信したときにその放送情報中に付随情報として含まれている放送局の周波数および放送時間帯を放送スケジュールの実績として記録媒体に格納しておくようにする。そして、受信周波数の探索を行うときには、現在の曜日および時刻が、記録媒体に放送スケジュールリストとして格納されている放送時間帯に含まれる周波数を検出するようにしている。
【０００９】
本発明の他の態様では、実際に放送情報を受信した放送局の周波数および受信時間帯も放送スケジュールの実績として記録媒体に格納しておくようにする。そして、受信周波数の探索を行うときには、現在の曜日および時刻が、記録媒体に放送スケジュールリストとして格納されている放送時間帯や受信時間帯に含まれる周波数を検出するようにしている。
【発明の効果】
【００１０】
上記のように構成した本発明によれば、実際に受信可能な放送局の周波数と受信可能な時間帯とが実績として取られ、それが放送スケジュールリストとして保存される。受信周波数の探索時には、現在の曜日および時刻で受信可能な周波数が放送スケジュールリストの中から抽出されることとなる。これにより、膨大な受信周波数候補を１つ１つ順に調べていく必要がなくなる。また、抽出される周波数は、過去に実績として受信可能または受信可能とされていた周波数であるから、今回も受信可能である可能性が高い。したがって、本発明によれば、確実に受信可能な周波数を短時間で探し出すことができる。
【発明を実施するための最良の形態】
【００１１】
以下、本発明の一実施形態を図面に基づいて説明する。図１は、本実施形態による受信機の要部構成例を示すブロック図である。なお、図１では本実施形態の説明において必要となる主要な構成要素のみを図示しており、受信機として本来必要な細かい構成要素は一部図示を省略している。
【００１２】
図１に示すように、本実施形態の受信機は、アンテナ１、チューナ部２、ＤＲＭデコーダ３、オーディオ信号処理部４、放送スケジュール作成部５、メモリ６、計時部７、シーク部８、表示部９、操作部１０、スピーカ１１を備えて構成されている。放送スケジュール作成部５とシーク部７は、例えば、プロセッサ（ＣＰＵ）、ＲＯＭおよびＲＡＭ等を備えたマイクロコンピュータなどにより構成されている。
【００１３】
チューナ部２は、アンテナ１を介して放送情報の電波を受信する。ここでは一例として、ＤＲＭによるデジタルラジオ放送の電波を受信するものとして説明する。また、このチューナ部２は、アナログラジオ放送の電波も受信可能である。チューナ部２は、アンテナ１を介して受信したラジオ放送の電波から所望のチャンネルに合致した受信周波数の信号を選択的に抽出して出力する。チューナ部２がアナログラジオ放送を受信したときは、その音声信号をオーディオ信号処理部４に出力する。チューナ部２がＤＲＭ放送を受信したときは、その放送情報をＤＲＭデコーダ３に出力する。
【００１４】
ＤＲＭデコーダ３は、チューナ部２により受信されたＤＲＭ放送情報に対して所定のデコード処理を行う。すなわち、ＤＲＭデコーダ３は、チューナ部２で受信したＤＲＭ放送の信号を復調して所定の多重化されたデータストリームを得る。そして、この多重化されたデータストリームを分離して、音声ストリームとデータストリームとを得る。ここで、データストリームには、放送局の周波数、局名、放送時間帯（放送曜日、放送開始時刻、放送終了時刻を含む）などの情報（以下、スケジュール情報と言う）が付随情報として含まれている。実際に受信している放送局の他に、他の放送局に関するスケジュール情報が含まれていることもある。
【００１５】
ＤＲＭデコーダ３は、音声ストリームをデコードしてアナログの音声信号を得て、これをオーディオ信号処理部４に出力する。また、データストリームをデコードして付随情報を検出し、これを放送スケジュール作成部５に出力する。このように、ＤＲＭデコーダ３は、本発明の付随情報検出部を構成している。また、ＤＲＭデコーダ３は、チューナ部２で実際に受信した放送局の周波数およびその受信時間帯（受信曜日、受信開始時刻、受信終了時刻を含む）を検出し、これを放送スケジュール作成部５に出力する。このようにＤＲＭデコーダ３は、本発明の受信検出部も構成している。
【００１６】
なお、受信時間帯に関しては、ＤＲＭデコーダ３は、操作部１０の操作によってチューナ部２の受信周波数が設定されたときの曜日と時刻を計時部７から取得し、これを受信曜日および受信開始時刻として検出する。また、操作部１０の操作によってチューナ部２の受信周波数が他の周波数に切り替えられたときの時刻を計時部７から取得し、これを受信終了時刻として検出する。
【００１７】
オーディオ信号処理部４は、チューナ部２またはＤＲＭデコーダ３から供給される音声信号に対して所定の信号処理を行い、その結果をスピーカ１１から音声として出力する。
【００１８】
放送スケジュール作成部５は、ＤＲＭデコーダ３により検出された付随情報にスケジュール情報として含まれている放送局の周波数と放送時間帯とを互いに関連付けて放送スケジュールリストを作成し、これをメモリ６（本発明の記録媒体に相当）に格納する。また、放送スケジュール作成部５は、ＤＲＭデコーダ３により検出された実際の受信周波数と受信時間帯とを互いに関連付けて放送スケジュールリストを作成し、これをメモリ６に格納する。
【００１９】
図２は、放送スケジュール作成部５によってメモリ６に格納される放送スケジュールリストの一例を示す図である。図２に示すように、本実施形態の放送スケジュールリストは、放送局の周波数、プログラム名（局名）、曜日、スタート時間、ストップ時間、受信記録、スケジュール情報読み込みといった項目を含んでいる。
【００２０】
ここで、受信記録の項目は、その放送局の周波数を実際に受信したか否かの区別を示す情報である。例えば、実際にその放送局の周波数を受信している訳ではないが、ＤＲＭ放送波に含まれている付随情報に基づいて放送スケジュールリストを作成するときは、受信記録の項目は「無し」に設定される。一方、実際にその放送局の周波数を受信している場合には、受信記録の項目は「有り」に設定される。
【００２１】
スケジュール情報読み込みの項目は、放送スケジュールリストの作成の際に、ＤＲＭ放送波に多重化されているスケジュール情報が読み込まれたか否かの区別を示す情報である。ある周波数のＤＲＭ放送を受信中のときに、その放送波に対してスケジュール情報が多重化されている場合と多重化されていない場合とがある。基本的に、ＤＲＭ放送波にスケジュール情報が多重化されている場合は、そのスケジュール情報に基づいて放送スケジュールリストが作成され、スケジュール情報読み込みの項目は「有り」に設定される。一方、ＤＲＭ放送波にスケジュール情報が多重化されていない場合は、チューナ部２で実際に受信した放送局の周波数や受信時間帯の情報に従って放送スケジュールリストが作成され、スケジュール情報読み込みの項目は「無し」に設定される。
【００２２】
ここでは、ＤＲＭ放送波にスケジュール情報が多重化されている場合は、基本的にそのスケジュール情報に基づいて放送スケジュールリストを作成すると説明したが、これに限定されるものではない。例えば、実際に受信した結果がスケジュール情報の計画通りであった場合は、スケジュール情報に基づいて作成した放送スケジュールリストをそのまま生かす。しかし、実際に受信した結果がスケジュール情報の計画と異なっていた場合には、スケジュール情報に基づいていったん作成した放送スケジュールを削除し、実際の受信結果に基づいて放送スケジュールリストを更新する。
【００２３】
上述したように、ＤＲＭ放送波には、実際に受信している放送局の他に、他の放送局に関するスケジュール情報が含まれていることもある。当該他の放送局に関する放送スケジュールリストは、スケジュール情報の読み込みによって作成される。よって、この場合には、スケジュール情報読み込みの項目は「有り」に設定される。また、受信記録の項目は「無し」に設定される。一方、受信記録の項目が「有り」に設定されるケースとしては、実際に受信したＤＲＭ放送波にスケジュール情報が多重化されている場合と多重化されていない場合との２通りがあり、その何れかに応じてスケジュール情報読み込みの項目が「有り」または「無し」に設定される。
【００２４】
曜日、スタート時間、ストップ時間の項目は、それぞれの周波数で放送が行われている曜日および時間帯を示す情報である。ＤＲＭ放送波に多重化されているスケジュール情報に含まれている放送時間帯に従って放送スケジュールリストを作成する際には、曜日、スタート時間、ストップ時間の項目は、当該スケジュール情報によって示される放送曜日、放送開始時刻、放送終了時刻を表している。一方、実際に受信した放送局の受信時間帯に従って放送スケジュールリストを作成する際には、曜日、スタート時間、ストップ時間の項目は、受信曜日、受信開始時刻、受信終了時刻を表している。
【００２５】
計時部７は、本発明の現在曜日・時刻検出部に相当するもので、現在の曜日および時刻を検出する。シーク部８は、操作部１０からシークの開始指示信号を受けたときに、計時部７から現在の曜日および時刻を取得する。そして、その取得した現在の曜日および時刻に基づいて、メモリ６に格納されている放送スケジュールリストを参照し、現在の曜日および時刻が放送スケジュールリストの放送時間帯または受信時間帯に含まれる放送局の周波数を検出する。このように、シーク部８は、本発明の周波数検出部を構成する。
【００２６】
図３は、シーク部８による周波数検出結果の一例を示す図である。ここでは、シーク部８が火曜日の１４：３０に操作部１０からシークの開始指示信号を受けたときの検出結果を示している。図２に示した放送スケジュールリストの中に、火曜日の１４：３０が放送時間帯または受信時間帯に含まれる放送局の周波数は６つあり、それがシーク部８により抽出されている。
【００２７】
図３から分かるように、抽出する周波数には優先順位が付けられている。本実施形態では、受信記録が有り、かつ、スケジュール情報の読み込みが有る周波数の優先順位を最も高くし、その中でも周波数が低いものほど優先順位を高くしている。次に優先順位が高いのは、受信記録は有るものの、スケジュール情報の読み込みが無い周波数であり、その中でも周波数が低いものほど優先順位を高くしている。最も優先順位が低いのは、受信記録は無いが、スケジュール情報の読み込みが有る周波数であり、その中でも周波数が低いものほど優先順位を高くしている。
【００２８】
シーク部８は、図３のように１つ以上の周波数（受信周波数の候補）を放送スケジュールリストから抽出した後は、抽出した周波数をその優先順位に沿って順番にシークしていく。すなわち、シーク部８は、チューナ部２の受信周波数を、図３のように抽出された周波数に１つずつ順番に同期させていきながら、受信感度を検出する。ここで、受信感度の一例として電界強度を用いることができる。これ以外にも、例えばＣ／Ｎ（搬送波対雑音比）、ＢＥＲ（Bit Error Rate）を利用して受信感度を検出するようにしても良い。そして、受信感度が所定レベル以上となる周波数を、実際に受信可能な放送局の周波数とみなしてこれを検出する。ここでは、実際に受信可能な周波数を１つ見つけた段階でシーク動作を中止し、その周波数でチューナ部２による受信動作を継続するものとする。
【００２９】
なお、受信周波数の候補を放送スケジュールリストから抽出した後に、シーク動作を開始する代わりに、その受信周波数の候補を表示部９にリスト表示するようにしても良い。ユーザは、このリスト表示を見て操作部１０を操作することにより、チューナ部２の受信周波数を好みの周波数に設定することが可能である。
【００３０】
次に、上記のように構成した本実施形態による受信機の動作を説明する。図４は、放送スケジュール作成部５によって行われる放送スケジュールリストの作成処理の手順を示すフローチャートである。
【００３１】
図４において、放送スケジュール作成部５は、チューナ部２で受信中のＤＲＭ放送波に付随情報として含まれているスケジュール情報をＤＲＭデコーダ３から取得したか否かを判定する（ステップＳ１）。ここで、放送スケジュール作成部５がスケジュール情報を取得したときは、そのスケジュール情報によって示されている放送局の周波数、局名、放送時間帯をメモリ６に新たに格納することにより、放送スケジュールリストを更新する（ステップＳ２）。このとき、受信記録の有無およびスケジュール情報読み込みの有無に関する情報も放送スケジュールリストの一部として格納する。
【００３２】
一方、放送スケジュール作成部５がスケジュール情報を取得していないときには、ＤＲＭデコーダ３により検出された実際の受信周波数および受信時間帯をメモリ６に新たに格納することにより、放送スケジュールリストを更新する（ステップＳ３）。このとき、受信記録の有無およびスケジュール情報読み込みの有無に関する情報も放送スケジュールリストの一部として格納する。
【００３３】
ステップＳ２またはステップＳ３の処理の後は、ステップＳ１に戻って同様の処理を繰り返す。これにより、操作部１０を操作してチューナ部２の受信周波数を切り替えるたびに、放送スケジュールリストが少しずつ更新されていく。
【００３４】
図５は、シーク部８によって行われるシーク処理の手順を示すフローチャートである。図５において、シーク部８は、操作部１０からシーク開始指示信号を受けたことをトリガとして、現在の曜日と時刻を計時部７から取得する（ステップＳ１１）。そして、その取得した現在の曜日および時刻に基づいて、メモリ６に格納されている放送スケジュールリストを参照し、現在の曜日および時刻が放送スケジュールリストの放送時間帯または受信時間帯に含まれる放送局の周波数を検出する（ステップＳ１２）。これにより、図３のような受信周波数の候補が１つ以上抽出される。
【００３５】
次に、シーク部８は、優先順位付けされた受信周波数候補のうち１つ目の受信周波数候補（最も優先順位の高い受信周波数候補）にチューナ部２の受信周波数を合わせる（ステップＳ１３）。そして、この状態で受信が可能かどうかを判定する（ステップＳ１４）。すなわち、シーク部８は受信感度を検出し、それが所定レベル以上となるか否かを判定する。ここで、受信可能と判断した場合は、その周波数でチューナ部２による受信動作を継続する（ステップＳ１８）。
【００３６】
一方、１つ目の受信周波数候補では受信が不可能と判断した場合、シーク部８は、ステップＳ１２で抽出された受信周波数候補の全てをシークし終わったか否かを判定する（ステップＳ１５）。ここで、まだ残りの受信周波数候補が存在する場合は、シーク部８は、優先順位に従って次の受信周波数候補にチューナ部２の受信周波数を合わせる（ステップＳ１６）。そして、ステップＳ１４に戻って受信可能かどうかを再び判定する。
【００３７】
このように、優先順位に従って受信周波数候補を１つずつシークしていき、受信可能な周波数が見つかった段階で、ステップＳ１８の処理に進む。一方、全ての受信周波数候補をシークしても受信可能な周波数が見つからなかった場合は、シーク部８は通常のシーク動作を実行する（ステップＳ１７）。すなわち、短波、中波、長波にまたがったＤＲＭの放送波帯域の受信周波数候補を短波から中波、長波の順番で１つ１つ調べていく。そして、受信可能な周波数が見つかった段階でステップＳ１８の処理に進む。
【００３８】
図６は、シーク部８によって行われるシーク処理の手順に関する別の例を示すフローチャートである。図６において、シーク部８は、操作部１０からシーク開始指示信号を受けたことをトリガとして、現在の曜日と時刻を計時部７から取得する（ステップＳ２１）。そして、その取得した現在の曜日および時刻に基づいて、メモリ６に格納されている放送スケジュールリストを参照し、現在の曜日および時刻が放送スケジュールリストの放送時間帯または受信時間帯に含まれる放送局の周波数を検出する（ステップＳ２２）。これにより、図３のような受信周波数の候補が１つ以上抽出される。
【００３９】
次に、シーク部８は、優先順位付けされた１つ以上の受信周波数候補を表示部９にリスト表示する（ステップＳ２３）。これでシーク動作は終了であるが、その後ユーザが操作部１０を操作してリスト表示の中から所望の受信周波数候補を選択した場合には、その選択された周波数をチューナ部２に設定して受信動作を行う。
【００４０】
以上詳しく説明したように、本実施形態によれば、チューナ部２で実際にＤＲＭ放送を受信したときにそのＤＲＭ放送波に付随情報として含まれている放送局の周波数および放送時間帯や、チューナ部２で実際にＤＲＭ放送を受信した放送局の周波数および受信時間帯を、放送スケジュールの実績としてメモリ６に格納しておくようにする。そして、このメモリ６に格納された放送スケジュールリストを対象として受信周波数の探索を行うようにしている。
【００４１】
これにより、シーク処理の際に、ＤＲＭ放送の膨大な受信周波数候補を１つ１つ順に調べていく必要がなく、放送スケジュールリストから抽出された幾つかの受信周波数候補のみを対象として受信可能か否かを調べていけば良くなる。この放送スケジュールリストから抽出される受信周波数候補は、過去に実績として受信可能または受信可能とされていた周波数であるから、今回も受信可能である可能性が高い。万が一、放送スケジュールリストから抽出された受信周波数候補の何れも受信不可能な場合は通常のシーク動作に移行するようにしているが、このようなケースは殆どないといって良い。したがって、本実施形態によれば、確実に受信可能な周波数を短時間で探し出すことができる。
【００４２】
なお、上記実施形態では、ＤＲＭ放送に付随情報として多重化されているスケジュール情報と、実際の受信結果との双方に基づいて放送スケジュールリストを作成する例について説明している。これが好ましい実施形態ではあるが、必ずしもこれに限定されるものではない。例えば、ＤＲＭ放送に付随情報として多重化されているスケジュール情報のみに基づいて放送スケジュールリストを作成するようにしても良い。
【００４３】
また、上記実施形態では、シーク動作時に放送スケジュールリストから１つ以上の受信周波数候補を抽出する際に、抽出される受信周波数候補に優先順位を付けているが、この順位付けの内容として説明した上述の例は単なる一例であり、これに限定されるものではない。すなわち、上記実施形態では、受信記録有り（スケジュール情報有り）＞受信記録有り（スケジュール情報無し）＞受信記録無し（スケジュール情報有り）の順番で順位付けしているが、受信記録有り（スケジュール情報有り）＞受信記録無し（スケジュール情報有り）＞受信記録有り（スケジュール情報無し）の順番で順位付けするようにしても良い。
【００４４】
また、受信周波数候補を優先順位付けすること自体も一例に過ぎず、必ずしも優先順位を付ける必要はない。
【００４５】
また、上記実施形態では、図３のように抽出された１つ以上の受信周波数候補を表示部９にリスト表示する例について説明したが、これに限定されない。例えば、抽出された１つ以上の受信周波数候補を、その優先順位に沿ってプリセットメモリ（図示せず）に登録するようにしても良い。プリセットメモリとは、操作部１０に設けられた複数のプリセットキーの各々に対応して周波数情報を格納しておくためのメモリである。ユーザが所望のプリセットキーを操作すると、操作されたプリセットキーに対応して記憶されている周波数がチューナ部２に設定されるようになっている。
【００４６】
また、上記実施形態では、受信する放送情報の例としてＤＲＭ放送を挙げて説明したが、これに限定されるものではない。曜日や時刻によって放送がされていたりされていなかったりするようなものであって、放送波の付随情報としてスケジュール情報が含まれているような放送であれば、本発明を同様に適用することが可能である。
【００４７】
また、ＤＲＭ放送は主に短波、中波、長波を利用していることから広範囲な地域で受信可能とは言っても、受信環境により限界はある。そこで、ＤＲＭ放送を受信したときの位置情報も放送スケジュールリストに記憶し、シーク動作を実行する際には現在位置も抽出の条件に入れて放送スケジュールリストを検索するようにしても良い。なお、この場合の位置情報は、例えばナビゲーション装置から取得することが可能である。
【００４８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４９】
本発明は、種々の放送局の周波数帯域を自動的に探す機能を備えた受信機に有用である。
【図面の簡単な説明】
【００５０】
【図１】本実施形態による受信機の要部構成例を示すブロック図である。
【図２】本実施形態の放送スケジュール作成部によってメモリに格納される放送スケジュールリストの一例を示す図である。
【図３】本実施形態のシーク部によって行われた周波数検出結果の一例を示す図である。
【図４】本実施形態の放送スケジュール作成部によって行われる放送スケジュールリストの作成処理の手順を示すフローチャートである。
【図５】本実施形態のシーク部によって行われるシーク処理の手順を示すフローチャートである。
【図６】本実施形態のシーク部によって行われるシーク処理の手順に関する他の例を示すフローチャートである。
【符号の説明】
【００５１】
１  アンテナ
２  チューナ部
３  ＤＲＭデコーダ
４  オーディオ信号処理部
５  放送スケジュール作成部
６  メモリ
７  計時部
８  シーク部
９  表示部
１０  操作部
【図１】
2007088923.tif 000003
【図２】
2007088923.tif 000004
【図３】
2007088923.tif 000005
【図４】
2007088923.tif 000006
【図５】
2007088923.tif 000007
【図６】
2007088923.tif 000008